(57)【要約】【課題】  移動通信端末装置が測位要求を受信した場合、その装置で実行中の処理に依存して、その実行中の処理を中止して測位を行うか、その実行中の処理を継続して測位を行わないか等の判断を行う移動通信端末装置を提供する。【解決手段】  ＧＰＳ測位制御部２１は、送受信部１３が行っている通信がＧＳＭ方式であるかＵＭＴＳ方式であるか、その通信が通話であるかデータ通信であるか、更には、符号化復号化部２３がビデオ撮影中であるか否かに依存して、実行中の処理と測位を両立させ、測位を優先させ、または、実行中の処理を優先させる。【選択図】  図２
2007088772.tif 000002
【特許請求の範囲】
【請求項１】
自装置の動作と受信する測位要求の種別との優先度に関する情報を記憶する記憶手段と、
前記要求の種別を含む測位要求を受信する測位要求受信手段と、
自装置の位置を測位する測位手段と、
前記動作の１つにある際、前記測位要求受信手段によって測位要求が受信され、その要求の種別が当該動作より優先されると前記記憶手段に記憶されている場合、当該動作を中止させ、前記測位手段を制御して測位させる測位制御手段と
を有することを特徴とする移動通信端末装置。
【請求項２】
前記測位制御手段は、前記要求の種別が前記動作の１つと同等に優先されると前記記憶手段に記憶されている場合、当該動作を継続しつつ、前記測位手段を制御して測位させる
ことを特徴とする請求項１に記載の移動通信端末装置。
【請求項３】
前記測位制御手段は、前記要求の種別が前記動作の１つより優先されないと前記記憶手段に記憶され、かつ、前記測位要求受信手段によって測位要求が受信されてから所定時間以内に当該動作が終了した場合、前記測位手段を制御して測位させる
ことを特徴とする請求項１に記載の移動通信端末装置。
【請求項４】
映像信号を入力するカメラと、
前記カメラによって入力された映像信号を録画するビデオ録画手段と、
画像または音声を出力する出力手段と、
前記ビデオ録画手段による録画と受信する測位要求の種別との優先度に関する情報を記憶する記憶手段と、
前記要求の種別を含む測位要求を受信する測位要求受信手段と、
自装置の位置を測位する測位手段と、
前記ビデオ録画手段によって録画が行われている際に前記測位要求受信手段によって測位要求が受信され、その要求の種別が前記ビデオ録画手段による録画と同等に優先されると前記記憶手段に記憶されている場合、前記ビデオ録画手段を制御して録画させつつ、前記測位手段を制御して測位させる測位制御手段と
を有することを特徴とする移動通信端末装置。
【請求項５】
前記測位制御手段は、前記要求の種別が前記ビデオ録画手段による録画より優先されないと前記記憶手段に記憶され、かつ、前記測位要求受信手段によって測位要求が受信されてから所定時間以内に当該録画が終了した場合、前記出力手段に前記測位要求が受信された旨を出力し、前記測位手段を制御して測位させるとともに、前記所定時間以内に当該録画が終了しない場合、前記測位要求を破棄する
ことを特徴とする請求項４に記載の移動通信端末装置。
【発明の詳細な説明】
【技術分野】
【０００１】
本発明は、移動通信端末装置に係り、特に、測位をする移動通信端末装置に関する。
【背景技術】
【０００２】
測位サーバ装置から送信された測位要求を受信して、その要求に従って測位、即ち、自装置の所在位置を測定し、測位結果を測位サーバ装置に送信する移動通信端末装置が知られている。ここで、測位は、複数のＧＰＳ（Global Positioning System）衛星から送信される電磁波を受信して、それらの電磁波が衛星から送信されてから移動通信端末装置に到達するまでの時間によって算出される。
【０００３】
また、移動通信端末装置は、測位サーバ装置からアシスト情報、即ち、ＧＰＳ衛星の軌道などの情報を測位に先立って受信して、衛星から送信される電磁波を受信することによって行われる処理を軽減し、短時間で測位を行う処理が知られている。
【０００４】
ここで、ＧＳＭ（Global System for Mobile Communications）方式などの第２世代の通信システムの移動通信端末装置は、ＴＣＰ／ＩＰ（Transmission Control Protocol/Internet Protocol）プロトコルを用いて行われる測位サーバ装置との間の通信と、通話及びデータ通信との両立ができない。そのため、第２世代の通信システムの移動通信端末装置は、例えば、通話中に測位要求を受信した場合、通話の一時的な中断を行い、その中断の間に測位を行う処理が知られている（例えば、特許文献１参照。）。
【０００５】
また、測位要求を受信すると、移動通信端末装置は、その要求を受信したことを表示及び／または音声によって使用者に報知し、また、その測位要求に従って測位動作を行うことを容認する否かの使用者による選択を入力する処理が知られている。
【特許文献１】特開２００３−８７８４６号公報（第２−３頁、図４）
【発明の開示】
【発明が解決しようとする課題】
【０００６】
しかしながら、上述した特許文献１に開示されている方法では、移動通信端末装置の、例えば、通話の品質を保つことができない問題点があった。また、移動通信端末装置がビデオ撮影などの画像処理中に測位要求が受信された場合、画像処理と、測位要求の表示及び／または音声による報知処理や測位動作を容認するか否かの選択の処理とは両立しない問題点があった。
【０００７】
本発明は上記問題点を解決するためになされたもので、移動通信端末装置が測位要求を受信した場合、その装置で実行中の処理に依存して、その実行中の処理を中止して測位を行うか、その実行中の処理を継続して測位を行わないか等の判断を行う移動通信端末装置を提供することを目的とする。
【課題を解決するための手段】
【０００８】
上記目的を達成するために、本発明の移動通信端末装置は、自装置の動作と受信する測位要求の種別との優先度に関する情報を記憶する記憶手段と、前記要求の種別を含む測位要求を受信する測位要求受信手段と、自装置の位置を測位する測位手段と、前記動作の１つにある際、前記測位要求受信手段によって測位要求が受信され、その要求の種別が当該動作より優先されると前記記憶手段に記憶されている場合、当該動作を中止させ、前記測位手段を制御して測位させる測位制御手段とを有することを特徴とする。
【０００９】
また、本発明の移動通信端末装置は、映像信号を入力するカメラと、前記カメラによって入力された映像信号を録画するビデオ録画手段と、画像または音声を出力する出力手段と、前記ビデオ録画手段による録画と受信する測位要求の種別との優先度に関する情報を記憶する記憶手段と、前記要求の種別を含む測位要求を受信する測位要求受信手段と、自装置の位置を測位する測位手段と、前記ビデオ録画手段によって録画が行われている際に前記測位要求受信手段によって測位要求が受信され、その要求の種別が前記ビデオ録画手段による録画と同等に優先されると前記記憶手段に記憶されている場合、前記ビデオ録画手段を制御して録画させつつ、前記測位手段を制御して測位させる測位制御手段とを有することを特徴とする。
【発明の効果】
【００１０】
本発明によれば、移動通信端末装置が測位要求を受信した場合、その装置で実行中の処理に依存して、その実行中の処理を中止して測位を行うか、その実行中の処理を継続して測位を行わないか等の判断を行う移動通信端末装置を提供することができる。
【発明を実施するための最良の形態】
【００１１】
以下に、本発明による移動通信端末装置の実施の形態を、図面を参照して説明する。図１は、本発明の実施形態に係る移動通信端末装置が含まれた測位システムの構成を示すブロック図である。この測位システムは、本発明の実施形態に係る移動通信端末装置１と、測位サーバ装置２と、移動通信端末装置１と測位サーバ装置２とを結合する、移動通信システム網が含まれた通信網３とからなる。
【００１２】
図２は、移動通信端末装置１の構成を示すブロック図である。この移動通信端末装置１は、装置全体の制御を行う制御部１１と、基地局（図示せず）との間で電磁波の送受信を行うアンテナ１２ａと、通信部１２ｂと、送受信部１３と、通話用のスピーカ１４ａと、通話用のマイクロフォン１４ｂと、通話部１４ｃと、表示部１５と、入力装置１６と、電子メール送受信部１７と、ブラウザ部１８と、ＧＰＳ測位制御部２１と、ＧＰＳ測位部２２と、ＧＰＳ衛星（図示せず）からの電磁波を受信するアンテナ２２ａと、符号化復号化部２３と、カメラ２３ａと、コンテンツ作成用のマイクロフォン２３ｂと、コンテンツ再生用のスピーカ２３ｃと、コンテンツ記憶部２４とからなる。
【００１３】
コンテンツ記憶部２４には、コンテンツ２４ａが記憶される。ここで、コンテンツ２４ａは、映像情報と音声情報とからなる。
【００１４】
上記のように構成された、本発明の実施形態に係る移動通信端末装置１の各部の動作を、図２を参照して説明する。まず、通信部１２ｂは、アンテナ１２ａが受信した高周波信号を送受信部１３へ出力し、また、送受信部１３から出力される高周波信号をアンテナ１２ａより送信する。
【００１５】
送受信部１３は、通信部１２ｂからの高周波信号を増幅、周波数変換及び復調し、それによって得られたディジタル音声信号を通話部１４ｃへ、また、制御信号を制御部１１に送る。更には、通話部１４ｃから出力されるディジタル音声信号、及び制御部１１から出力される制御信号を変調、周波数変換及び増幅し、高周波信号を得て、それを通信部１２ｂに送る。ここで、送受信部１３は、ＧＳＭ方式の移動通信システムと、ＵＭＴＳ（Universal Mobile Telecommunications System）方式の移動通信システムとの、２通りのシステムのいずれかを選択して送受信を行う。
【００１６】
次に、通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００１７】
次に、表示部１５の動作を説明する。表示部１５は、制御部１１に制御されることで、カーソルを含む文字・数字や画像データの表示動作を行い、表示されているデータは、入力装置１６からの入力操作や着信信号に応答して制御部１１からの指示を受けることで切換わる。
【００１８】
入力装置１６は、通話相手の電話番号などを指定し、また、トグル式の入力方式によって文字を入力するための数字キーと、カーソル移動キーを含む複数の機能キーとを含むキーからなる。そして、入力装置１６のキーが操作されると、そのキーの識別子が制御部１１に通知され、制御部１１によって、表示部１５に文字として表示され、または、制御が行われる。
【００１９】
次に、電子メール送受信部１７の動作を説明する。電子メール送受信部１７は、電子メールの送受信を行う装置である。即ち、電子メール送受信部１７は、使用者によって入力装置１６の所定のキーが操作されることにより、制御部１１によって起動され、電子メールの送信動作を開始する。
【００２０】
電子メール送受信部１７は、続いて、入力装置１６の所定のキー操作に従って、電子メールの宛先メールアドレスを作成する。そして、入力装置１６によって入力された文字からなる電子メールの標題及び本文データを作成することによって、宛先メールアドレスと、標題と、本文データとからなる電子メール（送信メール）を作成する。次に、電子メール送受信部１７は、上記作成された送信メールを制御部１１経由で送受信部１３に送信する。この送信メールは、更に、通信部１２ｂ、アンテナ１２ａ、基地局を介してメールサーバ装置（図示せず）に送信される。
【００２１】
また、電子メール送受信部１７は、メールサーバ装置から基地局、アンテナ１２ａ、通信部１２ｂ、送受信部１３を介して送られた電子メール（受信メール）を制御部１１経由で受信し、受信された受信メールを、電子メール送受信部１７内の記憶部（図示せず）に格納して、動作を終了する。そして、電子メール送受信部１７は、使用者によって入力装置１６の所定のキーが操作されることにより、制御部１１によって起動され、電子メール送受信部１７内の記憶部に記憶された受信メールの一覧を表示部１５に送って表示する。そして、入力装置１６から送信された所定のキーの識別子を受信すると、その受信メールの中の１つを選択し、選択された受信メールを表示部１５に送って表示する。
【００２２】
次に、ブラウザ部１８の動作を説明する。ブラウザ部１８は、Ｗｅｂサイトへアクセスする装置である。即ち、ブラウザ部１８は、使用者によって入力装置１６の所定のキーが操作されることにより、制御部１１によって起動され、Ｗｅｂサイトへアクセスする動作を開始する。
【００２３】
ブラウザ部１８は、続いて、入力装置１６の所定のキー操作に従って、Ｗｅｂサイトのアドレスを作成する。そして、入力装置１６によって作成されたアドレスを制御部１１経由で送受信部１３に送信する。ブラウザ部１８は、送受信部１３、通信部１２ｂ、アンテナ１２ａ、基地局を介してこのアドレスで識別されるＷｅｂサーバ装置（図示せず）と接続される。
【００２４】
また、ブラウザ部１８は、Ｗｅｂサーバ装置から基地局、アンテナ１２ａ、通信部１２ｂ、送受信部１３を介して送られたＷｅｂサイトの情報を制御部１１経由で受信し、受信された情報を表示部１５に表示する。
【００２５】
次に、ＧＰＳ測位制御部２１の制御動作を説明する。ＧＰＳ測位制御部２１は、測位サーバ装置２から基地局、アンテナ１２ａ、通信部１２ｂ、送受信部１３を介して送られた測位要求が制御部１１によって受信され、制御部１１が起動することによって制御動作を開始する。そして、移動通信端末装置１の各部の動作状況を制御部１１から受信して、受信された測位要求と、受信された各部の動作状況とから、測位を行うか否かを決定し、測位をすると決定された場合、ＧＰＳ測位部２２を制御して測位させる。ＧＰＳ測位制御部２１の制御動作の詳細は後述する。
【００２６】
次に、ＧＰＳ測位部２２の動作を説明する。ＧＰＳ測位部２２は、測位サーバ装置２から基地局、アンテナ１２ａ、通信部１２ｂ、送受信部１３を介して送られたＧＰＳ衛星に関する情報、例えば、利用すべき衛星の識別子や、その衛星の軌道などを受信する。そして、ＧＰＳ衛星から送信された電磁波をアンテナ２２ａを介して受信して、その電磁波が受信された時刻と、その衛星の軌道とから測位を行う。
【００２７】
次に、符号化復号化部２３の動作を、まず、ビデオ撮影、即ち、符号化の動作から説明する。符号化の動作は、使用者によって入力装置１６の所定のキーが操作されることにより、制御部１１によって起動され、動作を開始する。そして、符号化復号化部２３は、カメラ２３ａから出力される映像信号から画像フレーム信号、即ち、時間的に連続する静止画を作成し、符号化する。また、符号化復号化部２３は、マイクロフォン２３ｂから出力される音声信号から音声フレーム信号、即ち、一定時間間隔に分割した音声信号を作成し、符号化する。次に、符号化復号化部２３は、符号化された画像フレーム信号と符号化された音声フレーム信号を多重して、コンテンツ記憶部２４にコンテンツ２４ａとして格納する。
【００２８】
また、符号化復号化部２３は、符号化の動作の際、ビデオ撮影のモニタリングのために、カメラ２３ａから出力される映像信号を表示部１５に表示し、マイクロフォン２３ｂから出力される音声信号をスピーカ２３ｃから音声として発生させる。ここで、これらのモニタリング用の出力は、一旦符号化された信号を復号化した信号によっても良い。
【００２９】
次に、符号化復号化部２３のビデオ再生、即ち、復号再生の動作を説明する。復号再生の動作は、使用者によって入力装置１６の所定のキーが操作されることにより、制御部１１によって起動され、動作を開始する。そして、符号化復号化部２３は、コンテンツ２４ａを読み込んで、符号化された画像フレーム信号と符号化された音声フレーム信号とに分離する。そして、符号化された画像フレーム信号を復号して、表示部１５に表示する。また、符号化された音声フレーム信号を復号して、スピーカ２３ｃから音声を発生させる。
【００３０】
次に、ＧＰＳ測位制御部２１の制御動作の詳細を説明する。まず、測位サーバ装置２から送信され、制御部１１によって受信される測位要求の種類（Notification type）には、以下の４種類がある。即ち、第１種の要求（Privacy override）は、緊急事態、例えば、緊急発呼時に用いられる要求で、ＧＰＳ測位制御部２１は、他の処理が測位の障害になる場合、その処理を中止させて、測位を行うことが原則である。第２種の要求（No Notification and verification）は、例えば、移動通信端末装置１は業務用であって、その業務の管理者からの測位要求に基づく要求で、ＧＰＳ測位制御部２１は、測位要求が受信されたことを移動通信端末装置１の使用者に報知せず、測位を行うことが原則である。
【００３１】
第３種の要求（Notification only）は、例えば、移動通信端末装置１は業務用であって、その業務の管理者からの測位要求に基づく要求で、ＧＰＳ測位制御部２１は、測位要求が受信されたことを移動通信端末装置１の使用者に報知した後、測位を行うことが原則である。第４種の要求（Notification and verification）は、例えば、移動通信端末装置１の使用者の関係者または関係がない任意の個人からの測位要求に基づく要求で、ＧＰＳ測位制御部２１は、測位要求が受信されたことを移動通信端末装置１の使用者に報知し、かつ、測位を容認するか否かを使用者の選択によって決定することが原則である。
【００３２】
次に、以下の４通りの場合に分けて、ＧＰＳ測位制御部２１の制御動作を説明する。第１の場合は、送受信部１３が通話またはデータ通信中でなく、もしくは、ＵＭＴＳ方式の移動通信システムと通話及び／またはデータ通信中である場合である。第２の場合は、送受信部１３がＧＳＭ方式の移動通信システムと通話中である場合である。
【００３３】
第３の場合は、送受信部１３がＧＳＭ方式の移動通信システムとデータ通信中である場合である。第４の場合は、符号化復号化部２３がビデオ撮影中、即ち、符号化の動作中である場合である。ここで、データ通信は、電子メール送受信部１７及び／またはブラウザ部１８によって行われる。なお、通話及び／またはデータ通信と、ビデオ撮影とが同時に行われることはない。
【００３４】
図３は、第１の場合、即ち、送受信部１３が通話またはデータ通信中でなく、もしくは、ＵＭＴＳ方式の移動通信システムと通話及び／またはデータ通信中である場合の、ＧＰＳ測位制御部２１の制御動作のフローチャートを示す。ＧＰＳ測位制御部２１は、制御部１１によって起動されて制御動作を開始し（ステップＳ２１ａ）、測位要求の種類を調べる（ステップＳ２１ｂ）。測位要求の種類が第１種または第２種である場合、ＧＰＳ測位制御部２１は、ＧＰＳ測位部２２を起動して測位を行わせて（ステップＳ２１ｃ）、制御動作を終了する（ステップＳ２１ｄ）。
【００３５】
ステップＳ２１ｂで、測位要求の種類が第３種または第４種である場合、ＧＰＳ測位制御部２１は、測位要求が受信されたことを表示部１５に表示して及び／またはスピーカ２３ｃから所定の音声を発生させて使用者に所定の時間に渡って報知する（Notification、ステップＳ２１ｅ）。そして、測位要求の種類を調べる（ステップＳ２１ｆ）。測位要求の種類が第３種である場合、ＧＰＳ測位制御部２１は、ＧＰＳ測位部２２を起動して測位を行わせて（ステップＳ２１ｃ）、制御動作を終了する（ステップＳ２１ｄ）。
【００３６】
ステップＳ２１ｆで、測位要求の種類が第４種である場合、ＧＰＳ測位制御部２１は、測位要求に従った測位を容認するか否かの選択の入力を促すメッセージを表示部１５に表示して及び／またはスピーカ２３ｃから所定の音声を発生させる（ステップＳ２１ｇ）。このメッセージに対して、例えば、操作された入力装置１６のキーの識別子により、使用者は測位を容認するか否かを調べる（Verification、ステップＳ２１ｈ）。容認する場合、ＧＰＳ測位部２２を起動して測位を行わせて（ステップＳ２１ｃ）、制御動作を終了する（ステップＳ２１ｄ）。容認しない場合、制御動作を終了する（ステップＳ２１ｄ）。
【００３７】
図４は、測位の際に移動通信端末装置１と測位サーバ装置２との間で行われる処理を示すシーケンス図である。測位サーバ装置２から移動通信端末装置１に測位要求が送信され（ステップＳ３１）、この測位要求によって、ＧＰＳ測位制御部２１は制御動作を開始する。ステップＳ２１ｃで起動されたＧＰＳ測位部２２と測位サーバ装置２との間で、まず、アシスト情報が通信される（ステップＳ３２）。
【００３８】
このアシスト情報を用いて、ＧＰＳ測位部２２は測位を行い（ステップＳ３３）、得られた測位結果を測位サーバ装置２に送信する（ステップＳ３４）。ステップＳ３１で受信された測位要求がモニタリング、即ち、所定時間を置いて測位を繰り返す要求であれば、ＧＰＳ測位部２２は、更に測位を行い（ステップＳ３５）、得られた測位結果を測位サーバ装置２に送信する（ステップＳ３６）ことを所定回数繰り返す。
【００３９】
図５は、第２の場合、即ち、送受信部１３がＧＳＭ方式の移動通信システムと通話中である場合の、ＧＰＳ測位制御部２１の制御動作のフローチャートを示す。この場合のＧＰＳ測位制御部２１の制御動作は、図３にフローチャートを示した、第１の場合の制御動作と殆ど同じである。そこで、同じ動作のステップには同じ符号を付し、説明を省略する。
【００４０】
ＧＰＳ測位制御部２１は、ステップＳ２１ａで起動された後、測位要求の種類を調べる（ステップＳ２１ｊ）。測位要求の種類が第１種である場合、測位以外の処理、即ち、行われている通話を制御部１１に指示して中止させ（ステップＳ２１ｋ）、ステップＳ２１ｃの測位の動作以降を行う。
【００４１】
測位要求の種類が第３種または第４種である場合、ＧＰＳ測位制御部２１は、ステップＳ２１ｅの測位要求が受信されたことを報知する動作の後、所定の時間内に測位以外の処理、即ち、行われている通話が終了したか否かを調べる（ステップＳ２１ｍ）。ここで、この所定の時間とは、測位サーバ装置２が設けているタイムアウト時間に依存する時間であって、この所定の時間経過以前に測位の動作を行えば、測位サーバ装置２に測位結果を送信できる時間である。
【００４２】
所定の時間内に測位以外の処理が終了した場合、ＧＰＳ測位制御部２１は、測位要求の種類を調べる（ステップＳ２１ｎ）。測位要求の種類が第２種または第３種である場合、ステップＳ２１ｃの測位の動作以降を行う。一方、測位要求の種類が第４種である場合、ステップＳ２１ｇの測位要求に従って測位を行うか否かの選択をするための入力を促すメッセージの出力以降の動作を行う。一方、所定の時間内に測位以外の処理が終了しない場合、ＧＰＳ測位制御部２１は、制御動作を終了する。
【００４３】
ステップＳ２１ｊで、測位要求の種類が第２種である場合、ＧＰＳ測位制御部２１は、ステップＳ２１ｍの所定の時間内に行われている測位以外の処理が終了したか否かを調べる動作以降を行う。
【００４４】
図６は、第３の場合、即ち、送受信部１３がＧＳＭ方式の移動通信システムとデータ通信中である場合の、ＧＰＳ測位制御部２１の制御動作のフローチャートを示す。この場合のＧＰＳ測位制御部２１の制御動作は、図５にフローチャートを示した、第２の場合の制御動作と殆ど同じである。そこで、同じ制御動作のステップには同じ符号を付し、説明を省略する。
【００４５】
ＧＰＳ測位制御部２１は、ステップＳ２１ａで起動された後、測位要求の種類を調べる（ステップＳ２１ｏ）。測位要求の種類が第１種または第２種である場合、ＧＰＳ測位制御部２１は、ステップＳ２１ｋの測位以外の処理を、即ち、行われているデータ通信を制御部１１に指示して中止させる動作以降を行う。
【００４６】
測位要求の種類が第３種または第４種である場合、ＧＰＳ測位制御部２１は、ステップＳ２１ｅの測位要求が受信されたことを報知する動作を行って、測位要求の種類を調べる（ステップＳ２１ｐ）。測位要求の種類が第３種である場合、ステップＳ２１ｋの測位以外の処理を中止させる動作以降を行う。測位要求の種類が第４種である場合、ステップＳ２１ｍの、所定の時間内に測位以外の処理が終了したか否かを判断する動作以降を行う。ここで、ステップＳ２１ｎの測位要求の種類によって処理を分岐する動作は行わない。
【００４７】
図７は、第４の場合、即ち、ビデオ撮影中、即ち、符号化復号化部２３が符号化の動作中である場合の、ＧＰＳ測位制御部２１の制御動作のフローチャートを示す。この場合のＧＰＳ測位制御部２１の制御動作は、図３にフローチャートを示した、第１の場合の制御動作と殆ど同じである。そこで、同じ制御動作のステップには同じ符号を付し、説明を省略する。
【００４８】
ＧＰＳ測位制御部２１は、ステップＳ２１ａで起動された後、測位要求の種類を調べる（ステップＳ２１ｑ）。測位要求の種類が第１種または第２種である場合、ＧＰＳ測位制御部２１は、ステップＳ２１ｃの測位の動作以降を行う。一方、測位要求の種類が第３種である場合、符号化復号化部２３の符号化の動作を中止させ（ステップＳ２１ｒ）、ステップＳ２１ｅの測位要求が受信されたことの報知動作以降を行う。
【００４９】
ステップＳ２１ｑで、測位要求の種類が第４種である場合、ＧＰＳ測位制御部２１は、所定の時間内に行われているビデオ撮影が終了したか否かを調べる（ステップＳ２１ｓ）。ここで、この所定の時間は、第２の場合のステップＳ２１ｍの動作で説明したものと同一である。そして、所定の時間内にビデオ撮影が終了した場合、ＧＰＳ測位制御部２１は、ステップＳ２１ｅの測位要求が受信されたことの報知動作以降を行う。一方、所定の時間内にビデオ撮影が終了しない場合、ＧＰＳ測位制御部２１は、制御動作を終了する。
【００５０】
図８〜図１１は、上記説明したＧＰＳ測位制御部２１の制御動作によって、移動通信端末装置１の状態と測位が行われるか否かとの関係、即ち、優先度を示す。これらの優先度は、上記ＧＰＳ測位制御部２１の制御動作に組み込まれて記憶されているとして説明したが、図８〜図１１に示すように制御動作と独立して記憶部（図示せず）に記憶されても良い。
【００５１】
図８は、第１の場合、即ち、移動通信端末装置１がＵＭＴＳ方式の移動通信システムと通話及び／またはデータ通信中である場合、測位要求が受信されて測位が行われるか否かを示す。この場合、測位要求の種類が第１〜４種のいずれであっても、通話及び／またはデータ通信処理を続けたまま、測位が行われる。即ち、この２つの処理は両立するので、測位の動作は、移動通信端末装置１が通話またはデータ通信中でない場合と同様に行われる。
【００５２】
図９は、第２の場合、即ち、移動通信端末装置１がＧＳＭ方式の移動通信システムと通話中である場合、測位要求が受信されて測位が行われるか否かを示す。この場合、測位要求の種類が第１種であれば、測位が優先される。即ち、通話が中止され、測位の動作が行われる。測位要求の種類が第２〜４種のいずれかであれば、通話が優先される。即ち、測位の動作は行われず、通話が引き続き行われる。
【００５３】
第２の場合、移動通信端末装置１の使用者は、業務上の通話を行っている可能性が高いので、通話を中止させることは業務の支障になる可能性が高い。そこで、測位要求の種類が第１種であれば、測位が優先されるものの、その他の場合であれば、通話が優先される。
【００５４】
図１０は、第３の場合、即ち、移動通信端末装置１がＧＳＭ方式の移動通信システムとデータ通信中である場合、測位要求が受信されて測位が行われるか否かを示す。この場合、測位要求の種類が第１〜３種のいずれかであれば、測位が優先される。即ち、データ通信が中止され、測位の動作が行われる。測位要求の種類が第４種であれば、データ通信が優先される。即ち、測位の動作は行われず、データ通信が引き続き行われる。
【００５５】
第３の場合、データ通信は、測位の後に再度実行させても業務への支障になる可能性は低い。そこで、測位要求の種類が第４種であれば、データ通信が優先されるものの、その他の場合であれば、測位が優先される。
【００５６】
図１１は、第４の場合、即ち、移動通信端末装置１がビデオ撮影中の場合、測位要求が受信されて測位が行われるか否かを示す。この場合、測位要求の種類が第１、２種のいずれかであれば、ビデオ撮影を続けたまま、測位が行われる。即ち、この２つの処理は両立する。測位要求の種類が第３種の場合、測位が優先される。即ち、ビデオ撮影が中止され、測位の動作が行われる。測位要求の種類が第４種であれば、ビデオ撮影が優先される。即ち、測位の動作は行われず、ビデオ撮影が引き続き行われる。
【００５７】
第４の場合、測位要求の種類が第１、２種のいずれかであれば、測位によって表示部１５及び／またはスピーカ２３ｃを用いた報知が行われないので、測位とビデオ撮影は両立する。測位要求の種類が第３種であれば、業務を優先するため、測位が優先される。
【００５８】
第２の場合及び第３の場合において、即ち、移動通信端末装置１が通話またはデータ通信中に、ＧＰＳ測位制御部２１が測位要求が受信されたことを使用者に報知し、その報知に応じて使用者が通話またはデータ通信を終了させる操作を行えば、ＧＰＳ測位制御部２１は、その終了させる操作がない場合に行われない測位が行われる制御をする。
【００５９】
また、第２〜４の場合において、即ち、移動通信端末装置１が測位以外の動作中に測位要求が受信され、かつ、ＧＰＳ測位制御部２１は、測位以外の動作を優先した場合、その測位以外の動作が所定の時間以内に終了すれば、ＧＰＳ測位制御部２１は、測位の動作が行われる制御をする。
【００６０】
上記説明では、ＧＰＳ測位制御部２１は、測位要求が第１種である場合、測位要求が受信されたことを使用者に報知しないとしたが、これに限るものではない。第１種の要求、即ち、緊急事態に用いられる測位要求が受信されたので、測位を行う旨を報知しても良い。
【００６１】
また、上記説明では、ＧＰＳ測位制御部２１は、測位を行うか否かを測位要求が受信された際に実行中の処理と測位要求の種類とで判断するとしたが、これに限るものではない。即ち、使用者によって入力装置１６の所定のキーが操作されることにより、測位するか否かの設定が可能であるとし、その設定が「測位する」である場合、上記説明の制御動作をする。そして、その設定が「測位しない」である場合、測位要求が第１種であれば、上記説明の測位要求が第１種の場合の制御動作をし、測位要求が第２〜４種であれば、測位を行わないとしても良い。または、測位要求が第２〜４種であれば、上記説明の測位要求が第４種の場合の制御動作をするとしても良い。
【００６２】
以上の説明は、移動通信端末装置１がＧＳＭ方式の移動通信システムまたはＵＭＴＳ方式の移動通信システムとのいずれかの間で通話またはデータ通信中であるとしたが、これに限るものではない。例えば、測位中に移動通信端末装置１が上記２つのシステムの間でローミングを行う場合、ＧＰＳ測位制御部２１は、ローミング後のシステムにおける制御動作を行えば良い。
【００６３】
また、以上の説明は、移動通信端末装置１は、ＧＳＭ方式の移動通信システムと、ＵＭＴＳ方式の移動通信システムと、２通りのシステムのいずれかを選択して送受信するとし、ＧＳＭ方式の移動通信システムと通話またはデータ通信中であって、測位との両立が不可能な場合、いずれの処理を選択するかを例にとって行ったが、本発明は、上記方式に限られるものではない。測位との両立が不可能なあらゆる方式に適用することが当然に可能である。本発明は以上の構成に限定されるものではなく、種々の変形が可能である。
【図面の簡単な説明】
【００６４】
【図１】本発明の実施形態に係る移動通信端末装置が含まれた測位システムの構成を示すブロック図。
【図２】本発明の実施形態に係る移動通信端末装置の構成を示すブロック図。
【図３】本発明の実施形態に係るＧＰＳ測位制御部の制御動作のフローチャート（第１の場合）。
【図４】本発明の実施形態に係る移動通信端末装置が含まれた測位システムの動作の概要を示すシーケンス図。
【図５】本発明の実施形態に係るＧＰＳ測位制御部の制御動作のフローチャート（第２の場合）。
【図６】本発明の実施形態に係るＧＰＳ測位制御部の制御動作のフローチャート（第３の場合）。
【図７】本発明の実施形態に係るＧＰＳ測位制御部の制御動作のフローチャート（第４の場合）。
【図８】本発明の実施形態に係る移動通信端末装置の測位動作の優先度を示す図（第１の場合）。
【図９】本発明の実施形態に係る移動通信端末装置の測位動作の優先度を示す図（第２の場合）。
【図１０】本発明の実施形態に係る移動通信端末装置の測位動作の優先度を示す図（第３の場合）。
【図１１】本発明の実施形態に係る移動通信端末装置の測位動作の優先度を示す図（第４の場合）。
【符号の説明】
【００６５】
１  移動通信端末装置
１１  制御部
１２ｂ  通信部
１３  送受信部
１５  表示部
１６  入力装置
２１  ＧＰＳ測位制御部
２２  ＧＰＳ測位部
２３  符号化復号化部
２３ａ  カメラ
２４  コンテンツ記憶部
【図１】
2007088772.tif 000003
【図２】
2007088772.tif 000004
【図３】
2007088772.tif 000005
【図４】
2007088772.tif 000006
【図５】
2007088772.tif 000007
【図６】
2007088772.tif 000008
【図７】
2007088772.tif 000009
【図８】
2007088772.tif 000010
【図９】
2007088772.tif 000011
【図１０】
2007088772.tif 000012
【図１１】
2007088772.tif 000013